(57)【要約】【課題】集塵室内の塵埃の再飛散を抑制でき、かつ、集塵室内の塵埃の圧縮効率を向上した電気掃除機を提供する。【解決手段】粗塵捕集室76内に、吸気口73から吸い込まれメインフィルタ89の上流側に吹き付けた吸込風Ｗの一部が通過する風路126を設ける。風路126内の下部に、この風路126内での吸込風Ｗの流れの上流側に向けて突出するリブ124を設ける。吸気口73から吸い込んだ吸込風Ｗの一部をメインフィルタ89の上流側に吹き付けてメインフィルタ89に付着した塵埃を弾き飛ばす。風路126に流入した吸込風Ｗに含まれる粗塵D1をリブ124に引っ掛けて吸込風Ｗの一部により圧縮する。粗塵捕集室76内での粗塵D1の再飛散を抑制でき、かつ、粗塵捕集室76内の粗塵D1の圧縮効率を向上できる。【選択図】図１
2010022575.tif 000002
【特許請求の範囲】
【請求項１】
集塵室と、
この集塵室内へと塵埃を含む空気を吸い込む吸気口と、
前記集塵室に設けられ、前記吸気口から吸い込んだ空気の一部が上流側に吹き付けられるとともに、空気が通過して、この通過した空気から塵埃を捕集する濾過フィルタと、
前記集塵室内に設けられ、前記吸気口から吸い込まれ前記濾過フィルタの上流側に吹き付けられた空気の少なくとも一部が通過する風路と、
この風路内の少なくとも下部に位置し、この風路内での空気の流れの上流側に向けて突出するリブと
を具備したことを特徴とした電気掃除機。
【請求項２】
回動によって少なくとも集塵室を開閉可能な蓋体を具備し、
リブは、この蓋体の回動軸側と反対側に向けて突出している
ことを特徴とした請求項１記載の電気掃除機。
【発明の詳細な説明】
【技術分野】
【０００１】
本発明は、集塵室に設けられ、通過した空気から塵埃を捕集するフィルタを備えた電気掃除機に関する。
【背景技術】
【０００２】
従来、この種の電気掃除機は、電動送風機を収容した掃除機本体を備えている。この掃除機本体には、電動送風機の吸込側に連通して本体集塵室が形成され、この本体集塵室には、集塵装置である集塵カップが着脱可能に設けられている。この集塵カップは、電動送風機の駆動により吸い込んだ空気に含まれる塵埃を空気から遠心分離する遠心分離室を備えているとともに、この遠心分離室にて遠心分離された塵埃が捕集される集塵室である粗塵捕集室が形成されている。この粗塵捕集室には、濾過フィルタが配置されている。そして、吸気口から粗塵捕集室に吸い込んだ空気は、遠心分離室で旋回されて一部が塵埃とともに粗塵捕集室へと流れ、この粗塵捕集室から濾過フィルタを通過して電動送風機の吸込側へと吸い込まれる粗塵捕集室内の塵埃を圧縮する（例えば、特許文献１参照。）。
【特許文献１】特開２００７−５４４５４号公報（第４−８頁、図７）
【発明の開示】
【発明が解決しようとする課題】
【０００３】
しかしながら、上述の電気掃除機では、粗塵捕集室内の塵埃量の増加に伴い、吸込風によって粗塵捕集室内の塵埃が再飛散して濾過フィルタに付着し、目詰まりが生じるおそれがあるという問題点を有している。
【０００４】
また、粗塵捕集室へと吸い込まれた吸込風は、比較的面積が大きい濾過フィルタを順次通過するため、粗塵捕集室内に溜められた塵埃の圧縮が充分でないという問題点もある。
【０００５】
本発明は、このような点に鑑みなされたもので、集塵室内の塵埃の再飛散を抑制でき、かつ、集塵室内の塵埃の圧縮効率を向上した電気掃除機を提供することを目的とする。
【課題を解決するための手段】
【０００６】
本発明は、集塵室に設けられ、吸気口から吸い込んだ空気の一部が上流側に吹き付けられるとともに、空気が通過して、この通過した空気から塵埃を捕集する濾過フィルタと、集塵室内に設けられ、吸気口から吸い込まれ濾過フィルタの上流側に吹き付けられた空気の少なくとも一部が通過する風路と、この風路内の少なくとも下部に位置し、この風路内での空気の流れの上流側に向けて突出するリブとを具備したものである。
【発明の効果】
【０００７】
本発明によれば、吸気口から吸い込んだ空気の一部が濾過フィルタの上流側に吹き付けられて濾過フィルタに付着した塵埃を弾き飛ばしつつ風路に流入し、この風路内で上流側に向けて突出したリブにより塵埃が引っ掛けられて圧縮されるので、集塵室内での塵埃の再飛散を抑制でき、かつ、集塵室内の塵埃の圧縮効率を向上できる。
【発明を実施するための最良の形態】
【０００８】
以下、本発明の一実施の形態の電気掃除機の構成を図１ないし図３を参照して説明する。
【０００９】
図３において、11はいわゆるキャニスタ型の電気掃除機を示し、この電気掃除機11は、管部12と、この管部12が着脱可能に接続される掃除機本体13とを有している。
【００１０】
管部12は、掃除機本体13に接続される基端側に対して先端側が前方へ屈曲した接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１１】
手元操作部17には、把持部21がホース体16側へと突出し、この把持部21には、操作用の設定ボタン22が複数設けられている。
【００１２】
また、掃除機本体13は、本体ケース25を備え、この本体ケース25の内部には、図示しない隔壁が設けられ、この隔壁の後側に、電動送風機27(図１)を収容する図示しない電動送風機室、および、電源コード31を出し入れ可能に巻回した図示しないコードリールを収容するコードリール室がそれぞれ区画されているとともに、隔壁の前側に、この隔壁に設けられた連通口を介して電動送風機27の吸込側に連通する本体集塵室35が区画され、この本体集塵室35に、集塵装置としての集塵カップ36(図１)が着脱可能に配置されている。
【００１３】
本体ケース25は、例えば合成樹脂などにより形成され、上側が開口した下ケース41と、この下ケース41の上側後部である電動送風機室およびコードリール室を覆う上ケース42と、この上ケース42あるいは下ケース41に対して上下方向に回動可能に軸支され本体集塵室35を開閉可能とする本体蓋43とを備えている。そして、下ケース41の両側方には、掃除機本体13の走行用の大径の走行輪51(一方のみ図示)が回転自在に軸支されている。
【００１４】
上ケース42は、電動送風機室の下流側に連通する排気口55が多数開口形成されているとともに、これら排気口55の側方に、電源コード31を本体ケース25の外部に導出するための図示しないコード導出口が開口形成されている。
【００１５】
本体蓋43は、後端側が回動可能に軸支されている。また、この本体蓋43には、本体吸込口66を備えた回転部67が周方向に回転可能に設けられている。したがって、本体吸込口66は、前方上側に向けて開口形成されている。
【００１６】
電動送風機27は、電源コード31を介して電源から給電されることにより、設定ボタン22で設定された所定の動作モードで動作して管部12を介して空気とともに塵埃を吸い込むもので、本体ケース25に配置された各種部材中で例えば最も重量が大きい重量物である。そして、この電動送風機27は、前側を吸込側、後側を排気側として電動送風機室内に配置され、本体ケース25全体として後側に偏って位置している。なお、この電動送風機27は、例えばカバー体などによって少なくとも一部が覆われていてもよい。
【００１７】
そして、集塵カップ36は、図１および図２に示すように、吸込風Ｗに含まれる塵埃を捕集するもので、集塵装置本体としての外部ケースである合成樹脂製などのカップ本体部71を備え、このカップ本体部71の前側上部に傾斜状の傾斜部72が形成され、この傾斜部72に対して略垂直に吸気口73を区画する略円筒状の連通部である吸気筒部74が突出し、また、カップ本体部71の内部に壁部である区画壁75が形成され、この区画壁75の前後に、集塵室としての第１集塵室である粗塵捕集室76と連通室77とが区画されている。さらに、カップ本体部71の粗塵捕集室76の下部には、廃棄開口部である下部開口部81が形成され、連通室77の下部には、連通開口部82が形成され、かつ、カップ本体部71の後部には、集塵排気口としてのカップ排気口83が形成されている。そして、カップ本体部71の下部には、下部開口部81および連通開口部82、すなわち粗塵捕集室76および連通室77の下部を開閉可能な蓋体84が回動可能に軸支されている。
【００１８】
吸気筒部74は、先端側の外周縁部にフランジ部86が鍔状に突出して形成されており、このフランジ部86は、集塵カップ36を本体集塵室35に取り付けて本体蓋43を閉じた状態で、本体吸込口66の下流側の図示しないシール部材に圧接されることで、吸気口73が本体吸込口66と気密に接続されるように構成されている。
【００１９】
区画壁75は、上側が前方へと傾斜しており、中心域に粗塵捕集室76と連通室77とを連通する連通口88が開口形成されている。また、この連通口88には、第１分離部としての濾過フィルタであるメインフィルタ89が配置されている。したがって、メインフィルタ89は、吸気筒部74の軸線上に配置されており、吸気口73から粗塵捕集室76内に吸い込まれた吸込風Ｗが面方向に沿って傾斜状(鋭角状)に直接吹き付けられるように構成されている。
【００２０】
メインフィルタ89は、例えば金属などにより形成されたメッシュ状のフィルタ体であり、吸気口73から粗塵捕集室76に吸い込まれた塵埃のうち、比較的大きく大部分を占める塵埃、すなわち綿ごみなどの粗塵D1を捕集するためのものである。したがって、粗塵捕集室76には、メインフィルタ89を通過できなかった粗塵D1が内部に収容され、この粗塵D1が、蓋体84を開いた状態で下部開口部81から廃棄可能となっている。また、このメインフィルタ89は、区画壁75に沿って配置されている。このため、このメインフィルタ89は、上側が前方(上流側)へと傾斜して配置され、吸気口73の開口方向(吸気筒部74の軸方向)に対して面方向が鋭角状に傾斜している。
【００２１】
連通室77には、粗塵捕集室76を通過した塵埃、すなわち比較的小さい塵埃である微細塵D2を捕集するためのフィルタ部91がカップ排気口83に後部から着脱可能となっている。また、連通室77の下部には、区画壁75の下端側とカップ本体部71のカップ排気口83の下部に形成された通路形成壁部としての後部壁92との間に、連通開口部82に連通する連通路93が上下方向に沿って区画されている。この連通路93は、横長に形成されており、区画壁75の下端側と後部壁92との間に亘って連続的に形成されたリブ状の複数の分割壁部94(１つのみ図示)により、左右幅方向に複数に分割されている。
【００２２】
フィルタ部91は、プリーツ状に形成された第２分離部としてのフィルタ部本体、すなわちサブフィルタであるプリーツフィルタ95と、このプリーツフィルタ95を保持する枠部としてのフィルタ保持枠96とを備えている。
【００２３】
プリーツフィルタ95は、例えば表面集塵フィルタであり、上下方向に沿って形成された山部と谷部とが左右幅方向に交互に連続して形成されている。また、このプリーツフィルタ95は、左右幅方向の全体が連通路93全体の左右幅寸法以下に設定され、フィルタ部91を連通室77に取り付けた状態で下端側が連通路93の上方に臨んで位置している。
【００２４】
フィルタ保持枠96は、カップ排気口83の形状に沿った外形を有し、プリーツフィルタ95の周囲を保持している。すなわち、このフィルタ保持枠96は、プリーツフィルタ95の後部である下流側が露出するフィルタ開口101が中心域に開口形成された枠状となっている。また、このフィルタ保持枠96のフィルタ開口101の下部には、プリーツフィルタ95の下部に臨む塵埃ガイド部としての傾斜面部102が形成されている。さらに、フィルタ保持枠96の外周部には、カップ排気口83との隙間を閉塞するための環状のシール部材103が取り付けられている。
【００２５】
傾斜面部102は、プリーツフィルタ95の後側から前側へと下方に向けて傾斜して形成されており、フィルタ部91を連通室77に取り付けた状態で、連通路93の上部に連続するように形成されている。
【００２６】
下部開口部81と連通開口部82との下部には、蓋体84を閉じた状態で粗塵捕集室76および連通室77を気密に閉塞するためのシール部材105が取り付けられている。
【００２７】
一方、蓋体84は、蓋体本体107と、この蓋体本体107の前部から突出した軸支部108とを備えており、カップ本体部71に対して、係脱部としてのクランプ部109によって後部側が係脱可能となっている。
【００２８】
蓋体本体107は、カップ本体部71の下部全体の形状に対応した形状に形成されており、粗塵捕集室76の下部すなわち下部開口部81に対応する位置に、集塵室凹部としての粗塵用凹部111が形成されているとともに、連通路93の下部すなわち連通開口部82に対応する位置に、塵埃収容部としての第２集塵室(粉体集塵部)である微細塵捕集室113が凹設され、かつ、これら粗塵用凹部111および微細塵捕集室113の全体の周囲に、座部としての平面枠状の受面部115が形成され、粗塵用凹部111と微細塵捕集室113との間に、受面部115の左右両側間に亘って連続する区画枠部としての横枠部116が形成され、受面部115の外縁部に外枠部としての外側面部117が立ち上がって形成されている。
【００２９】
粗塵用凹部111は、底面部121と、この底面部121の前側の周囲から受面部115へと傾斜状に連続する側面部としての傾斜壁部122と、底面部121の後部から横枠部116へと傾斜状に連続する後部側面部としての後部傾斜壁部123と、底面部121から上方へと突出する複数のリブ124とを備えている。
【００３０】
底面部121は、平板状で、かつ、前側が平面視で凸弧状に形成されている。
【００３１】
傾斜壁部122は、底面部121の両側および前側に亘って平面視で略円弧状に連続して形成されている。また、この傾斜壁部122には、蓋体84を閉じた状態で粗塵捕集室76内に風路126を区画する整流体としての風路絞り体である風路区画体127が一体的に設けられている。
【００３２】
ここで、風路区画体127は、傾斜壁部122の両側および前側に亘って平面視で略円弧状に連続する区画体側部としての側板部131と、この側板部131の上側を覆う区画体上部としての風路面積縮小部すなわち絞り部である上板部132とを有している。
【００３３】
側板部131は、両側から前側へと徐々に高さ(突出量)が小さくなるように傾斜し、かつ、前側の部分では略一定の高さ(突出量)となるように形成されている。
【００３４】
上板部132は、側板部131に沿って、後側から前側へと徐々に下方へと傾斜し、かつ、前側の位置で延出部としての連続部である略水平状の水平部134が連続して形成されている。また、上板部132の先端側すなわち上端側は、メインフィルタ89の上流側の上下方向の若干上側寄りの位置の前方に離間されて対向しており、このメインフィルタ89の上流側との間に、風路126の吸込口となる流入口としての風路吸込口135を区画している。また、水平部134には、風路126の排気口となる風路排気口136が左右幅方向に複数開口形成され、これら風路排気口136には、サブ濾過フィルタである風路フィルタ137がそれぞれ取り付けられている。
【００３５】
この結果、風路126は、風路吸込口135から下方へと拡開され、かつ、この風路126内の上流側である後側から下流側である前側へと徐々に上下左右に風路面積が狭くなるように、漏斗状に形成されている。
【００３６】
風路吸込口135は、吸気口73から粗塵捕集室76に吸い込んだ空気を絞って風路126内へと導入する開口であり、メインフィルタ89の上流側に臨む位置に、左右幅方向に沿って長手状に形成されている。
【００３７】
風路排気口136は、風路126を通過した空気が粗塵捕集室76内で吸込風Ｗに合流するための開口であり、風路126の少なくとも下流側において最も風路面積が狭い位置に形成されている。
【００３８】
風路フィルタ137は、メインフィルタ89と略同等のメッシュ状に形成されている。
【００３９】
後部傾斜壁部123は、横枠部116から前方へと下方に傾斜して形成されている。
【００４０】
そして、各リブ124は、風路126内の下部に位置し、傾斜壁部122の両側間に亘って連続する横長状に形成され、互いに略等間隔に離間されている。また、これらリブ124は、先端側が後側、すなわち風路126の上流側に向けて直線状に傾斜しており、後部傾斜壁部123とそれぞれ略平行となっている。さらに、これらリブ124は、したがって、これらリブ124は、底面部121、傾斜壁部122および後部傾斜壁部123との間に、それぞれ前側(風路126内の上流側)へと徐々に狭くなる漏斗状空間である収容空間部141を区画している。すなわち、これら収容空間部141は、粗塵捕集室76に形成された風路126内の底部に位置し、この風路126で後方に向けて開口している。なお、各リブ124は、例えばメインフィルタ89の上下方向の略中心域程度まで延設してもよい。
【００４１】
微細塵捕集室113は、連通開口部82に対応して横長に形成されており、蓋体84を閉じた状態で連通開口部82に連通する排出口144が上端部に形成されている。すなわち、この排出口144は、蓋体84の軸支部108側である前側と反対側、すなわち後側に位置している。
【００４２】
排出口144は、フィルタ部91のプリーツフィルタ95から除塵手段146により除去された塵埃である粉体などの微細塵D2を微細塵捕集室113へと運ぶとともに、この微細塵捕集室113に捕集された微細塵D2を、蓋体84を開いた状態で排出するための開口である。
【００４３】
除塵手段146は、掃除機本体13の本体集塵室35(図３)の隔壁側に例えば上下２箇所に離間されて配置されており、集塵カップ36をこの本体集塵室35に装着した状態でプリーツフィルタ95の山谷部に先端側が嵌合する除塵体146aを備え、図示しないモータなどによりこの除塵体146aがプリーツフィルタ95の山谷部を順次乗り越えながら左右に移動するように駆動されることで、プリーツフィルタ95を弾いて振動を与え、このプリーツフィルタ95に捕集した微細塵D2を除去するものである。
【００４４】
なお、除塵手段146は、任意のタイミングで動作させることが可能であるが、例えば掃除の開始時である電動送風機27の起動時、あるいは掃除の終了時である電動送風機27の停止時などに動作させることが好ましい。
【００４５】
受面部115と横枠部116とは、平坦状に形成され、蓋体84を閉じた状態でシール部材105が圧接されることで粗塵捕集室76および連通室77を気密に閉塞するように構成されている。
【００４６】
軸支部108は、蓋体本体107の外側面部117の前側で、かつ、左右幅方向の略中心域に連続して前方へと突出し、カップ本体部71の前部下側寄りに突出して左右方向に沿って形成された回動軸151の両端部を保持する保持板152が両側部(一方のみ図示)から上方に突出して形成されている。
【００４７】
回動軸151は、蓋体84をカップ本体部71に対して回動させて開く際の軸となる部分である。したがって、蓋体84は、開く際に、図２に示すように排出口144側である後側が下方に位置するように回動する。
【００４８】
クランプ部109は、後部壁92の後部に回動可能に取り付けられており、左右幅方向に沿って回転軸154を有しているとともに、この回転軸154の両端間の略中心部の下部に、作業者が蓋体84を開閉操作するためのつまみ部155が一体に形成されている。
【００４９】
回転軸154は、図示しない付勢手段であるトーションばねによってつまみ部155を前方へと回動させる方向に付勢されている。
【００５０】
つまみ部155は、蓋体本体107の受面部115の後部下側に形成された段差状の被係止部157に形成される係止部である爪部158が前側に突出して形成されているとともに、先端側が後方へと傾斜している。
【００５１】
次に、上記一実施の形態の動作を説明する。
【００５２】
掃除の際には、まず、作業者は、掃除機本体13の本体蓋43を開き、本体集塵室35に集塵カップ36を取り付け、本体蓋43を閉じる。このとき、作業者は上側の本体吸込口66に、接続管部15を介してホース体16を連通接続し、このホース体16の先端側に、延長管18および床ブラシ19を順次連通接続する。
【００５３】
さらに、作業者が、掃除機本体13から電源コード31を引き出して図示しないコンセントに接続し、把持部21を把持して所定の設定ボタン22を操作すると、この設定ボタン22により設定された動作モードに応じて電動送風機27が駆動される。
【００５４】
次いで、作業者は、把持部21を把持して床面上で床ブラシ19を前後に走行させることで、電動送風機27による負圧によって、床ブラシ19の先端側から塵埃を空気とともに吸い込む。
【００５５】
床ブラシ19から塵埃とともに吸い込まれた空気は吸込風Ｗとなり、延長管18およびホース体16(接続管部15)を介して、塵埃を本体吸込口66から集塵カップ36へと運ぶ。
【００５６】
この集塵カップ36においては、本体吸込口66から吸気口73へと吸い込まれた吸込風Ｗが略直線状に粗塵捕集室76へと吸い込まれてメインフィルタ89の上流側に鋭角状に吹き付けられ、風路吸込口135から風路126内へと吸い込まれる。このとき、吸込風Ｗは、風路吸込口135により絞られて流速が増加しつつ風路126へと流入することで、メインフィルタ89に付着した塵埃をこのメインフィルタ89から弾き飛ばす。
【００５７】
風路126内に流入した吸込風Ｗは、矢印W1に示すように、その一部が区画壁75から離間されるように、すなわち前側へと旋回し、粗塵D1とともに各収容空間部141内へと流入する。これら収容空間部141は空気の逃げ場がないため、各リブ124に引っ掛けられた粗塵D1が吸込風Ｗの一部により圧縮されながら各収容空間部141内に保持される。この吸込風Ｗの一部は、メインフィルタ89を通過して連通室77へと流入し、さらに、プリーツフィルタ95を通過する際に、メインフィルタ89により捕集しなかった微細塵D2が捕集される。
【００５８】
また、風路126内に流入した吸込風Ｗの残りは、矢印W2に示すように、風路126内で前側へと徐々に絞られて流速が増加し、風路排気口136を通過する際に、残留した僅かな塵埃が捕集され、この風路排気口136を通過した後、吸気口73から吸い込んだ吸込風Ｗに合流し、再度メインフィルタ89に吹き付けられる。
【００５９】
この後、プリーツフィルタ95を通過した吸込風Ｗは、電動送風機27へと吸い込まれ、この電動送風機27を通過して排気風となり、本体ケース25の排気口55から掃除機本体13の外部へと廃棄される。
【００６０】
掃除が終了し、電気掃除機11を収納する際には、電動送風機27を停止させる。この状態で、除塵手段146の除塵体146aが左右に所定時間往復動し、プリーツフィルタ95に捕集した微細塵D2を落下除去する。
【００６１】
この落下除去された微細塵D2は、フィルタ保持枠96の傾斜面部102により連通路93へと導かれ、この連通路93に沿って落下し、連通開口部82から排出口144を介して微細塵捕集室113に捕集される。
【００６２】
また、集塵カップ36に捕集した塵埃が所定量以上溜まった場合には、作業者は掃除機本体13の本体蓋43を開き、集塵カップ36を本体集塵室35から取り外し、ごみ箱などの上方でつまみ部155をトーションばねの付勢に抗して後方へと回動させることで、爪部158が被係止部157から外れ、図２に示すように、回動軸151を中心として蓋体84が開き、粗塵捕集室76に捕集された粗塵D1は、蓋体84の回動により上下方向に沿う逆テーパ状となったリブ124および後部傾斜壁部123に沿って落下して廃棄され、微細塵捕集室113に捕集された微細塵D2は、排出口144から廃棄される。
【００６３】
この後、作業者は開いたときと逆の動作で蓋体84を閉じ、掃除機本体13の本体集塵室35に集塵カップ36を再度取り付けて本体蓋43を閉じる。
【００６４】
上述したように、上記一実施の形態では、粗塵捕集室76内に、吸気口73から吸い込まれメインフィルタ89の上流側に吹き付けられた吸込風Ｗの一部が通過する風路126を設けるとともに、この風路126内の下部に、この風路126内での吸込風Ｗの流れの上流側に向けて突出するリブ124を設ける構成とした。
【００６５】
この結果、吸気口73から吸い込んだ吸込風Ｗの一部がメインフィルタ89の上流側に吹き付けられてこのメインフィルタ89に付着した塵埃を弾き飛ばしつつ風路126に流入し、この風路126内で上流側に向けて突出したリブ124により粗塵D1が引っ掛けられて吸込風Ｗの一部により圧縮されるので、粗塵捕集室76内での粗塵D1の再飛散を抑制でき、かつ、粗塵捕集室76内の粗塵D1の圧縮効率を向上できる。
【００６６】
したがって、粗塵D1が再飛散してメインフィルタ89に付着して目詰まりが生じることを抑制できるので、電動送風機27による吸込力がこのような目詰まりによって低下することを抑制できる。
【００６７】
また、複数のリブ124を、風路126の上流側から下流側へと順次形成することにより、粗塵D1を圧縮収容する収容空間部141が風路126の上流側から下流側へと順次形成されるので、これら収容空間部141に粗塵D1を効率よく圧縮収容することが可能になる。
【００６８】
しかも、リブ124および風路区画体127を、それぞれ蓋体84に形成することにより、カップ本体部71側には何ら設計変更を施すことなく、収容空間部141および風路126を粗塵捕集室76内に容易に形成できるとともに、カップ本体部71の内部に構造物が形成されていないため、例えばメインフィルタ89などの掃除やメンテナンスも容易となり、かつ、蓋体84を開くことで風路区画体127がカップ本体部71の外部に露出するので、風路区画体127の内部および風路フィルタ137なども容易に掃除およびメンテナンスできる。
【００６９】
さらに、風路126の風路吸込口135を、吸気口73から吸い込んだ吸込風Ｗを絞って流速を増加させるように形成することにより、メインフィルタ89に付着した塵埃を、吸込風Ｗによって、より効率よく弾き飛ばすことができる。
【００７０】
そして、風路126は、上流側から下流側へと風路面積が狭くなるように形成されていることで、この風路126を通過して吸込風Ｗに合流する吸込風の流速を速めることができ、流速をより増加させた状態でメインフィルタ89にぶつかるので、メインフィルタ89に付着した塵埃をより効率よく弾き飛ばすことができる。
【００７１】
また、蓋体84が回動によって開閉可能で、各リブ124を、この蓋体84の回動軸151側と反対側に向けて突出させることにより、蓋体84を開いた際に、各リブ124が下方へと傾斜するので、収容空間部141に収容した粗塵D1が、強く圧縮されている場合であっても、各リブ124にガイドされつつ容易に廃棄される。
【００７２】
なお、上記一実施の形態において、蓋体84は、回動により下部開口部81を開閉するものだけでなく、例えば摺動によって下部開口部81を開閉するものなどでも、同様に対応できる。
【００７３】
また、リブ124は、少なくとも１つあれば上記一実施の形態と同様の作用効果を奏することができる。
【００７４】
さらに、風路126の形状などは、上記構成に限定されるものではない。
【００７５】
そして、電気掃除機11としては、キャニスタ型に限らず、アップライト型、ハンディ型、あるいは自律走行型のものなどでも対応して用いることができる。
【図面の簡単な説明】
【００７６】
【図１】本発明の一実施の形態の電気掃除機の要部を前方から示す斜視断面図である。
【図２】同上電気掃除機の蓋体を開いた状態を後方から示す斜視断面図である。
【図３】同上電気掃除機を示す斜視図である。
【符号の説明】
【００７７】
11    電気掃除機
73    吸気口
76    集塵室としての粗塵捕集室
84    蓋体
89    濾過フィルタであるメインフィルタ
124   リブ
126   風路
151   回動軸
【図１】
2010022575.tif 000003
【図２】
2010022575.tif 000004
【図３】
2010022575.tif 000005